(57)【要約】      （修正有）【課題】サポートの支持面と最下部の書類の下面との間に相対移動が実質的に生じることがないようにする。【解決手段】文書処理ラインにおいて使用される収納モジュールは、フレームと、一つ以上の書類がサポート上に載置される受取位置、および書類が下方への通路を形成するサポートによって排出される排出位置に移動自在な少なくとも一対のサポートとを備えている。一対のサポートは、一平面に延び、排出位置および受取位置をとるその平面において、互いに離れるように、かつ互いの方向に向けて移動自在に設けられている。サポートは、使用時に最下部の書類が載置される支持面を各々有する。【選択図】図１
2008056488.tif 000002
【特許請求の範囲】
【請求項１】
文書処理ライン、例えば積み重ね装置（２）において使用される収納モジュールにおいて、
フレーム（５）と、
受取位置および排出位置に移動自在な少なくとも一対のサポート（３ａ、３ｂ）と、を備え、
受取位置において一つの書類（Ｄ）あるいは書類（Ｄ）の積層体は、サポート（４ａ、４ｂ）に載置され、排出位置において一つの書類（Ｄ）あるいは書類（Ｄ）の積層体は、下方（Ｒ５）への通路を形成するサポート（４ａ、４ｂ）によって排出され、
一対（３ａ、３ｂ）のサポート（４ａ、４ｂ）は、一平面に延び、排出位置および受取位置をとるその平面において、互いに離れるように、かつ互いの方向に向けて移動自在に設けられ、サポート（４ａ、４ｂ）は、使用時に最下部の書類（Ｄ）が載置される支持面（４ｃ）を各々有し、支持面（４ｃ）は、サポート（４ａ、４ｂ）が互いに離れるように移動する場合、支持面（４ｃ）と最下部の書類（Ｄ）の下面との間に相対移動が実質的に生じることがないように構成されることを特徴とする収納モジュール。
【請求項２】
各々のサポート（４ａ、４ｂ）の支持面（４ｃ）は、第１の戻りプーリー（８ａ）を覆うように張られたベルト（７）によって形成され、ベルト（７）の上部（７ａ）は、フレーム（５）に固定して連結されることを特徴とする請求項１に記載の収納モジュール。
【請求項３】
ベルト（７）は、前記平面に移動自在に設けられ、第１の戻りプーリー（８ａ）および第２の戻りプーリー（８ｂ）を支持するサポートフレーム（５ａ）を覆い閉ざすことを特徴とする請求項２に記載の収納モジュール。
【請求項４】
第１の戻りプーリー（８ａ）は、ばね支持されてサポートフレーム（５）に設けられることを特徴とする請求項２または３に記載の収納モジュール。
【請求項５】
第１の戻りプーリー（８ａ）は、付勢された圧縮ばねを介してサポートフレーム（５）に連結されることを特徴とする請求項４に記載の収納モジュール。
【請求項６】
サポートフレーム（５ａ）は、フレーム（５）に設けられたガイドレール（１１）に軸受支持されることを特徴とする請求項３乃至５のいずれかに記載の収納モジュール。
【請求項７】
第１戻りプーリー（８ａ）および第２戻りプーリー（８ｂ）の端部（１０）は、フレーム（５）に設けられたガイドレール（１１）に軸受支持されることを特徴とする請求項３乃至６のいずれかに記載の収納モジュール。
【請求項８】
ガイドレール（１１）は、前記平面に平行に延び、書類（Ｄ）を支持する２つのサポートの長さと、書類（Ｄ）の通路開口部の長さとを有することを特徴とする請求項６または７に記載の収納モジュール。
【請求項９】
各々のサポート（３ａ、３ｂ）は、少なくとも一つの無端駆動ベルト（１３）を含む駆動要素（６）を有し、
各々のサポート（４ａ、４ｂ）が移動するために、駆動ベルト（１３）の上部（１３ａ）は、一方のサポート（４ａ）に連結され、駆動ベルト（１３）の下部（１３ｂ）は、他方のサポート（４ｂ）に連結されることを特徴とする請求項１乃至８のいずれかに記載の収納モジュール。
【請求項１０】
各々のサポート（３ａ、３ｂ）は、少なくとも一つの駆動要素（６）を駆動し、前方（Ｒ１）および後方（Ｒ２）に駆動要素（６）を駆動する駆動部（１６）を有することを特徴とする請求項１乃至９のいずれかに記載の収納モジュール。
【請求項１１】
モジュール（１）は、第１の書類（Ｄ）を積み重ねる最初のサポート（３ａ）と、書類（Ｄ）をさらに積み重ねる少なくとも一つの次のサポート（３ｂ）とを有し、
これらのサポート（３ａ、３ｂ）は、実質的に互いに少し離れて設けられることを特徴とする請求項１乃至１０のいずれかに記載の収納モジュール。
【請求項１２】
モジュール（１）は、少なくとも一対のサポート（３ａ、３ｂ）の駆動部（１６）を制御する制御部（１６）を有することを特徴とする請求項１０または１１に記載の収納モジュール。
【請求項１３】
制御部（１８）は、書類（Ｄ）の積層体を形成する少なくとも一対のサポート（３ａ、３ｂ）の排出位置および受取位置をとるためにプログラム自在であることを特徴とする請求項１２に記載の収納モジュール。
【請求項１４】
文書処理ラインにおいて使用され、請求項１乃至１３のいずれかに記載の収納モジュール（１）を備えたことを特徴とする積み重ね装置。
【請求項１５】
請求項１乃至１３のいずれかに記載の収納モジュール（１）は、請求項１４に記載の積み重ね装置内に設けられ、書類（Ｄ）は、収納モジュール（１）の一対のサポート（３ａ、３ｂ）に供給運搬装置（１９）によって供給され、サポートの開口部において、書類（Ｄ）が最初のサポート（３ａ、３ｂ）の下方に位置する排出部（２０）上にあり、その後排出部（２０）は書類（Ｄ）を排出することを特徴とする書類の積み重ね方法。
【請求項１６】
サポート（３ａ、３ｂ）の対が、供給運搬装置（１９）の端部（１９ａ）の下方に少し離れて設けられることを特徴とする請求項１５に記載の方法。
【請求項１７】
収納モジュール（１）の最初のサポート（３ａ）上に、書類（Ｄ）の最初の積層体が形成され、その後最初のサポート（３ａ）を書類（Ｄ）が通過し、書類（Ｄ）が排出部（２０）へ向けて通過していく前に、下方に少し離れて設けられた少なくとも一つの次のポート（３ｂ）上に次の書類（Ｄ）の積層体が形成されることを特徴とする請求項１５または１６に記載の方法。
【発明の詳細な説明】
【技術分野】
【０００１】
本発明は、文書処理ライン、例えば積み重ね装置において使用され、フレームと、受取位置および排出位置へ移動自在な少なくとも一対のサポートとを備え、受取位置において一つの書類あるいは書類の積層体はサポート上に載置され、排出位置において一つの書類あるいは書類の積層体は下方への通路を形成するサポートによって排出される収納モジュールに関する。
【背景技術】
【０００２】
前記収納モジュールは公知である。公知の収納モジュールにおいて、書類は一対のサポート上で受け取られる。書類とは、文書、雑誌、封筒に収納された包装文書（packaged documents）、フィルムに収納された包装パッケージ雑誌（packaged magazines）、あるいは他の類似の書類をいう。書類の積層体がサポート上に形成されると、サポートは互いに離れるように摺動する。このため、書類の積層体は、下面に形成された開口部を通過していく。しかしながら、前記収納モジュールは、サポートが摺動して開口した場合、最下部の書類が損傷を受けるという欠点を有している。サポートが互いに離れる場合、書類とサポートとの間に摩擦力が働く。この摩擦力により、書類が破られ、皺が形成され、あるいは他の損傷を受けることになる。また、摩擦力が働くことにより、一方のサポートが、他方のサポートより確実に書類の下から離れるように摺動することができる。その結果、書類の積層体が、傾斜して形成された開口部を通過し、分離して落下し、最終的に積層体が変形して下面に至る。サポートが下方に折り畳み自在に構成される場合、傾斜通路が形成される。書類を通過させる場合、サポートは下方向に開口部を折り畳む。これらのサポートが下方に旋回するために、必要以上に全体の高さが要求される。サポートが、同時にかつ等しい速度で正確に開口部を折り畳まない場合、書類が開口部を通って傾斜して落下する。このため、書類が損傷され、あるいは書類の積層体の場合には、分離して落下する。特に、このことは、書類の積層体が文書処理ラインにおいてさらに搬送することが必要な場合、好ましくないことである。
【発明の開示】
【課題を解決するための手段】
【０００３】
このため、本発明は、文書処理ラインにおいて使用される収納モジュールを備え、収納モジュールは、書類を受け取り、この書類から積層体を形成したり形成しなかったりする。また、収納モジュールは、書類が好ましくない方法で通過することを防止するために、一つの書類あるいは書類の積層体を均等に通過させることができる。また、書類が移動したり、破れたり、折り畳まれたり、皺が形成されたり、あるいは他の方法で損傷を受けたりすることが確実に防止できる。また、収納モジュールは、垂直方向あるいは高さ方向においてコンパクトに構成されていることが好ましい。
【０００４】
この目的のために、本発明は、導入部分で述べた方式による収納モジュールを備え、一対のサポートが一平面に延び、排出位置および受取位置をとるその平面において互いに離れるように、かつ互いの方向に向けて移動自在に設けられ、各々のサポートは、最下部の書類が使用中に載置される支持面を有し、支持面は、サポートが互いに離れるように移動する場合、支持面と最下部の書類の下面との間に相対移動が実質的に生じることがないように構成されている。前記収納モジュールを使用する場合、サポートが互いに離れるように移動している間、その下方に位置している最下部の書類とサポートの支持面との間に摩擦力が働くことがない。このことにより、書類が損傷を受け、横方向に移動することが防止される。
【０００５】
本発明をさらに詳細に述べると、各々のサポートの支持面は、第１の戻りプーリーを覆うように張られるベルトによって形成されている。ベルトの上部は、フレームに固定して連結されている。支持面がこの方法により構成されているため、ベルトは、ベルトの下部および戻りプーリーを、戻りプーリーから離れる側に面しているサポートの側部へ移動させることにより、書類の下面から取り外し自在である。このため、サポートの間の通路開口部が、一様により大きくなる。その結果、積層体の通路開口部は一様に大きくなり、書類の積層体は一様に通過することができる。
【０００６】
本発明をさらに詳細に述べると、ベルトは、前記平面に移動自在に設けられ、第１の戻りプーリーおよび第２の戻りプーリーを支持するサポートフレームを覆い閉ざすように設けられている。サポートフレームを移動させることにより、戻りプーリー上で無端ベルトが前方および後方へ移動する。ベルトは、上部において、フレームに固定して連結されているため、サポートが互いに離れるように移動する場合、ベルトは書類の下方から離れるように移動する。そのため、サポートの支持面が、互いに離れるように移動する。言い換えれば、ベルトによって形成される支持面と最下部の書類との間が移動することがない。
【０００７】
本発明をさらに詳細に述べると、第１の戻りプーリーは、ばね支持されてサポートフレームに設けられている。ばね支持されることにより、第１の戻りプーリーは、付勢された圧縮ばねを介してサポートフレームに連結されるようになる。サポートフレームにばね支持されて設けられた戻りプーリーは、例えば、指、工具、あるいは他の障害物が、受取位置をとるために再度互いの方向に向けて移動する場合、サポートの間で動けなくなることを防止する。さらに、機構が高速であることにより、損傷されることを保護する。ばねが設けられていることにより、サポートにおける各々の第１の戻りプーリーは、障害物がサポートの間で動けなくなった場合、再度互いから少し離れるように移動することができる。
【０００８】
本発明をさらに詳細に述べると、サポートフレームは、フレーム上に設けられたガイドレールに軸受支持されている。代替の実施の形態において、第１の戻りプーリーおよび第２の戻りプーリーの端部は、フレーム上に設けられたガイドレールに軸受支持されて取り付けられている。このことは、ガイドレールが前記平面に平行に延び、ガイドレールが、少なくとも２つのサポートの長さと書類の通路開口部の長さとを有する場合、好ましいことである。このように、サポートはガイドレールを通ってスムースに摺動する。このため、通路の開口部が迅速に開口し、かつ閉口することが可能となり、通路の開口部は常に書類を通過させるために十分な大きさとなっている。また、１時間あたり15,000乃至20,000の書類を供給することから高い供給速度を有し、サポートは、書類の良好な処理を保証するために、十分な速度で前方および後方へ移動することができる。
【０００９】
本発明をさらに詳細に述べると、各々のサポートは、少なくとも一つの無端駆動ベルトを含む駆動要素を有している。各々のサポートが移動するために、駆動ベルトの上部は、一方のサポートに連結され、駆動ベルトの下部は、他方のサポートに連結されている。このように、サポートは、少なくとも一つの無端駆動ベルトにより同じ速度で同じ距離を同時に移動する。
【００１０】
さらに、本発明を詳細に述べると、各々のサポートは、少なくとも一つの駆動要素を駆動する駆動部を有していてもよい。駆動部は、前方および後方へ移動する場合に駆動要素を駆動するために設けられている。サポートを開口することとサポートを閉口することとの両方が、同一の駆動部により行われる。
【００１１】
本発明の詳細を代替的に述べると、モジュールは最初の書類の積層体のための最初のサポートと、更なる書類の積層体のための少なくとも一つの次のサポートとを有している。これらのサポートの対は、実質的に互いに少し離れて設けられている。モジュールがこのように配置されることにより、最初の小さな積層体が形成されて次のサポートへ向けて通過し、その後、次の積層体が最初のサポート上に形成される。段階的に積層体は積み立てられ、下方の面へ向けて通過する。このように、落下高さが大きいことにより、書類の積層体が変形することおよび分離して落下することが、防止される。
【００１２】
さらに、一方が他方の上に配置された２つのサポートを使用する場合、一時保管機能が付加される。収納モジュールがサポートを一つだけ有している場合、積層体が放出される速度により、積層体の最小高さが決められる。このことは、積層体の放出が一対のサポートによって通過することができる間、サポート下方に放出されるすでに形成された積層体が放出されるまで、収納モジュールに供給される書類は、一つのサポート上に一時保管されることが必要となるからである。２つのサポートが確実に連携することにより、書類が供給される流れは、積層体の最小サイズより小さな積層体を一時的に放出させるために少し拘留される。このように、必要により、機械速度を一時的に落とすように調整する必要がなく、より高い生産高が得られる。図５を参照することにより、全てのことがより詳細に説明される。
【００１３】
本発明をさらに詳細に述べると、モジュールは、少なくとも一つのサポートの駆動部を制御する制御部を有している。制御部は、一対のサポートが、適切なときに適切な速度で互いから離れるように、かつ互いの方向に向けて移動するように、一対のサポートの駆動部を制御することができる。また、制御部は、一方が他方の下方に設けられる多数のサポートにおける多数の駆動部を制御することもできる。サポートが開口することおよび閉口することに加えて、制御部は、対が開口することと閉口することとの間における相互の時間の相違を規定する。その結果、第１のサポートは、第１の書類の積層体が通過することができるように制御される。同時に、第２のサポートは、互いの方向に向けてサポートが移動するように制御される。制御部は、例えば通過する書類の数量をカウントするセンサーだけでなく、例えば書類の積層体の全質量あるいは書類の大きさにも応答することができる。
【００１４】
本発明の詳細を代替的に詳細に述べると、制御部は、書類の積層体を形成する少なくとも一対のサポートの放出位置および受取位置をとるためにプログラム自在である。このように、サポートを書類の積層体が通過する前に、書類の積層体がどの程度の大きさになるかを、言い換えれば、積層体がどのくらいの量の書類から構成されているかを予め定めることができる。さらに、サポートが互いに移動する量を最小にするために、書類の大きさが示されている。このことは、文書処理ラインの処理量にとって好都合である。さらに、制御部は、書類が変わった場合、収納モジュールの設置をそこへ適応させるようにプログラムされる。センサーがある場合、さまざまな種類の書類が入ってきたことを制御部に伝えることができ、収納モジュールの設置を変化させることができる。
【００１５】
本発明はさらに、文書処理ラインで使用され、前述した収納モジュールを有する積み重ね装置に関する。
【００１６】
本発明はさらに、前述した積み重ね装置に前述した収納モジュールが設けられ、書類が収納モジュールの一対のサポートに供給運搬装置によって供給され、サポートの開口部であって、書類が第１のサポートの下方に位置する排出部上にあり、その後排出部は書類の積層体を排出する方法に関する。
【００１７】
前記積み重ね装置および方法は、収納モジュールについて述べた利点と同じ利点を有している。
【００１８】
方法についてさらに詳細な説明をすると、収納モジュールの最初のサポート上に、最初の書類の積層体が形成され、その後最初のサポートを書類が通過し、書類が排出部へ向けて通過していく前に、その下方に少し離れて設けられた少なくとも一つの次のサポート上に書類の次の積層体が形成される。最初のサポートおよび次のサポートを確実に制御することにより、一時保管機能が収納モジュールに作り出される。書類を安定して供給することにより、最初の上方のサポート上に一時的に保管される。同時に、次の下方のサポート上の小さな積層体が通過し排出される。このように、一つだけの書類から構成される積層体を排出することでさえ可能となり、同時に前記積層体を排出するために必要な時間に多数の書類が供給される。
【００１９】
本発明のさらなる詳細は、従属する請求項に述べられ、以下に図面を参照してより詳細に説明する。
【発明を実施するための最良の形態】
【００２０】
図において、同じ部分に同じ符号を付す。
【００２１】
図１は、文書処理ライン、例えば積み重ね装置２で使用される収納モジュール１を示す。典型的な実施の形態において、収納モジュール１は、２つのサポート３ａ、３ｂを備えている。各々のサポート３ａ、３ｂは、受取位置および排出位置へ移動自在である。受取位置において、１枚の書類Ｄあるいは書類Ｄの積層体は、サポート４ａ、４ｂ上に載置される。排出位置において（図１に示すように）、１枚の書類Ｄあるいは書類Ｄの積層体は、サポート４ａ、４ｂによって排出され、下向矢印Ｒ５の方向へ通過していく。各々のサポート３ａ、３ｂは、フレーム５を含み、フレーム５に、一対３ａ、３ｂのサポート４ａ、４ｂが、一平面に延びている。サポート４ａ、４ｂは支持面４ｃを各々有し、使用時に最下部の書類Ｄが支持面４ｃ上に載置される。支持面４ｃは、サポート４ａ、４ｂが互いに離れる場合、支持面４ｃと最下部の書類Ｄの下面との間に相対移動が実質的に生じることがないように構成されている。このことにより、横方向の伝達運動が妨げられる。
【００２２】
駆動要素６を用いることにより、サポート４ａ、４ｂは、上述した平面において、矢印Ｒ１の方向に互いに向かって移動自在であるとともに、矢印Ｒ２の方向に互いに離れるように移動自在である。このため、排出位置あるいは受取位置のいずれか一方をとることができる。サポート４ａ、４ｂが互いの方向に向かって移動することおよび互いに離れるように移動することは、いずれもかなり短い期間、例えば５０ｍｓで行われる。駆動要素６は、サポート４ａ、４ｂが同時に、かつ正反対の矢印Ｒ１または矢印Ｒ２の方向に移動することができるように設けられている。
【００２３】
図２は、一対のサポート３ａ、３ｂの斜視図を示し、図３は、図２の一対のサポート３ａ、３ｂの側面図を示す。各々のサポート４ａ、４ｂの支持面４ｃは、第１の戻りプーリー８を覆って張られているベルト７によって形成されている。ベルト７の上部７ａは、フレーム５、例えば締付具９と固定して連結されている。ベルト７は、上述した平面に移動自在に設けられ、第１の戻りプーリー８ａおよび第２の戻りプーリー８ｂを支持するサポートフレーム５ａを覆い閉ざす。
【００２４】
他の実施の形態において、ベルトは、覆われていなくても良い。本変形例において、上方部分は、固定フレームに固定して連結され、第１の戻りンプーリーは、サポートフレームを用いて上述した平面において移動自在に設けられている。本変形例において、下方部分は、戻りプーリーを移動させる場合、張られたベルトを保持する伸展装置に連結されていても良い。伸展装置は、例えば戻りプーリーがばね支持されている場合、戻りプーリーを移動させることもできる。
【００２５】
戻りプーリー８ａ、８ｂは、少なくとも一つのスペーサ１２によって一定の距離を保持している。これらのスペーサ１２は、ガイドレール近傍１１の戻りプーリー８ａと戻りプーリー８ｂとの間に設けられている。スペーサにより、外側戻りプーリー８ｂとともに内側戻りプーリー８ａが確実に均等に移動する。また、スペーサ１２は、駆動要素６が外側戻りプーリー８ｂをスタート位置に移動させる場合、内側戻りプーリー８ａを後退させる。第１の戻りプーリー８ａは、ばね支持されてサポートフレーム５ａに設けられている。このため、スペーサ１２は、圧力を付勢されたばねを有している。障害物がサポート４の間にある場合、障害物はサポート４ａとサポート４ｂとの間で、ばねにより確実に動けなくなる。その後ばねは、内側戻りプーリー８ａを互いに少し離すように動かす。このため、例えば人の指のような障害物が、少なくとも激しく損傷されることはない。
【００２６】
戻りプーリー８ａ、８ｂの端部１０は、フレーム５上のガイドレール１１に軸受支持されて移動自在となっている。他の実施の形態において、サポートフレーム５ａは、フレーム５上に設けられたガイドレール１１軸受支持されて移動自在とすることもできる。サポート４ａ、４ｂが駆動要素６によってＲ２の方向に互いに離れるように移動する場合、戻りプーリー８ａ、８ｂはＲ２の方向に移動する。ベルト７が、第１の戻りプーリー８ａ近傍の締付具９とともに書類Ｄを向く側に固定されるため、ベルト７は、Ｒ３の方向においてそこにある書類の下方部から離れるように移動する。
【００２７】
図に示すように、ガイドレール１１は、サポート４ａ、４ｂの上述した平面に平行に延びている。ガイドレール１１の長さは、２つのサポートの長さおよび書類Ｄの通路開口部の長さよりも長い。その結果、サポート３ａ、３ｂの対は、例えば約１５５ｍｍの長さを有する小さな書類（Ｄ）に適応するとともに、例えば約４２０ｍｍの最大通路開口部に対応するサイズを有する書類Ｄにも適応する。サポートが適応する幅は、サーボ技術によって行われてもよい。
【００２８】
各々のサポート３ａ、３ｂの駆動要素６は、２つの無端駆動ベルト１３を有している。第１のサポート４ａの第２の戻りプーリー８ｂは、締結部１４を介して駆動ベルト１３の上部１３ａに連結されている。また、第２のサポート４ｂの第２の戻りプーリー８ｂは、締結部１５を介して駆動ベルト１３の下部１３ｂに連結されている。この構造を有する駆動要素６により、同じ速度で正反対の矢印Ｒ１または矢印Ｒ２の方向に、サポート４ａ、４ｂが同時に移動する。
【００２９】
各々のサポート３ａ、３ｂは、駆動要素６を駆動する駆動部１６をさらに有している。駆動部１６は、矢印Ｒ１の前方におよび矢印Ｒ２の後方に駆動要素６を移動させることができる。
【００３０】
さらに、図３に示すように、一対のサポート３ａ、３ｂ上に、書類Ｄを受け取る底がない箱１７が設けられている。収納モジュール１は、さらに一対のサポート３ａ、３ｂの駆動部１６を制御する制御部１８（概略を示す）を有している。この制御部１８は、各々のサポート３ａ、３ｂのサポート４ａ、４ｂを開口したり閉口したりするプログラムが組まれていても良い。このことは、図５ａ乃至図５ｊに明らかにされている。
【００３１】
図４は、本発明による積み重ね装置２を示している。積み重ね装置２は、２つのサポート３ａ、３ｂを有している上述した収納モジュール１を備えている。積み重ね装置２は、書類Ｄが収納モジュール１に運搬される供給運搬装置１９をさらに有している。収納モジュール１に届くと、書類Ｄは、モジュール１の上方のサポート３ａに積み重ねられる。上方のサポート３ａは、供給運搬装置１９の端部１９ａの下方に、少し離れて置かれている。積層体が所望のサイズになると、上方のサポート３ａが、サポート４ａ、４ｂを互いに離すように摺動させることによって開口される。このため、サポート４ａ、４ｂの支持面４ｃは、書類Ｄの下面と支持面との間を摺動させることなく、互いに離れるように移動する。書類Ｄの積層体は、第１のサポート３ａの下方に配置され、第１の対３ａと同じように動作する次のサポート３ｂの上に落下する。さらに積み重ね装置２は、下方のサポート３ｂの下方に位置する排出部２０を有している。排出部２０は、Ｒ４の方向、例えば文書処理ラインにおける次のモジュールに書類Ｄの積層体を排出および／または退かせる摺動部２１を有している。他の実施の形態において、収納モジュールは、２対以上のサポート３ａ、３ｂを有していてもよい。
【００３２】
図５ａ乃至図５ｊに、収納モジュール１を使用する書類Ｄを積み重ねる方法を示す。この実施の形態において、収納モジュール１は、２つのサポート３ａ、３ｂを有している。図５ａにおいて、書類Ｄは、供給運搬装置１９を使用する収納モジュール１へ供給される。書類Ｄは、上方のサポート３ａの上に載置される。上方のサポート３ａは、供給運搬装置１９の端部１９ａの下方に少し離れて載置される。その距離が短いため、書類は、まずその短い距離だけ下方に落下する。そのため、供給される書類Ｄの水平方向の動きは、すぐに止まり、垂直方向の動きに変換される。このことにより、水平方向の速度と大きな落下高さの結果として、書類Ｄが傾くことが防止される。制御部１８が、サポート４ａ、４ｂを排出位置に移動させることを、この対３ａの駆動部１６に伝える場合、駆動部１６は、サポート４ａ、４ｂを移動させる。書類Ｄは、下方の面に向けて、この場合次のサポート３ｂに、Ｒ５の方向に落下する。ここで、書類Ｄの積層体は、例えば上方のサポート３ａの積層体より大きく形成される。下方のサポート３ｂは、書類Ｄの積層体が排出される排出部２０の前に一時保管機能を有している。排出部２０による書類の排出は、サポート３ａ、３ｂによって通り過ぎることができる書類と比べて著しく遅く進み、例えば収納モジュール１へ供給される新しい書類よりも５倍遅い。第２のサポート３ｂは、書類の大きな積層体を作成するために一時保管機能を有している。さらに、このサポート３ｂにより、一つの書類Ｄの積層体が確実に形成される。結局、遅い排出部２０および一つのサポート３ａまたはサポート３ｂとともに、形成されるべき最も小さな積層体は、最小数量、例えば約５つの書類からなることを必要とする。
【００３３】
図５ｂは、上方のサポート３ａが受取位置にあり、下方のサポート３ｂが排出位置にあり、書類Ｄの積層体が通過している状態を示す。制御部１８は、センサー２２に接続されている。センサー２２により、例えば、通過した書類Ｄの量、書類Ｄの高さ、あるいは通過する書類Ｄの大きさの変化が制御部１８に伝えられる。その後、制御部１８は、それを基にサポート３ａ、３ｂの駆動部１６を制御することができる。制御部１８は、書類の流れが規則的に繰り返されることを基にしてプログラムされていてもよい。センサー２２からの情報およびプログラムされた情報を基に、制御部１８は、駆動部１６にさまざまな命令を送る。
【００３４】
図５ｃ乃至図５ｊは、さまざまなサイズの積層体が、２つのサポート３ａ、３ｂおよび排出部２０とともに収納モジュール１の構造によって形成されることを明瞭に示している。図５ｃ乃至図５ｆにおいて、一つの書類Ｄは、サポート３ａ、３ｂを通り過ぎ、最後に図５ｆに示す排出部２０によって排出される。図５ｅ乃至図５ｉにおいて、低い方のサポート３ｂが一時保管機能を有しているため、書類Ｄの大きな積層体が形成され、図５ｉに示す排出部２０によって排出されることがわかる。
【００３５】
また、図５ｅおよび図５ｆに示すように、制御部１８は、排出部２０の摺動部２１を制御する。書類Ｄの積層体が排出部２０上にある場合、制御部１８は、摺動部２１が書類Ｄの積層体を矢印Ｒ４の方向、例えば文書処理ラインの次のモジュールに移動させるように制御する。さまざまなサポート３ａ、３ｂが開口したり閉口したりすることにより、互いに独立して制御することができ、開口速度および開口して閉口する期間がそれぞれ制御される。
【００３６】
本発明は上述した実施の形態に制限されることはなく、特許請求の範囲によって明らかにされたように、本発明の構成の範囲内において、さまざまな修正が可能であることは明らかである。例えば収納モジュールは、一方が他方の下方に設けられる多数のサポートを備えることができる。このことにより、多数の積層体が断続的に一時保管される。さらに、本発明による積み重ね装置は、多数の収納モジュールを有している。上部が固定側に接続されたベルトを有したサポートを構成する代わりに、サポートは、移動自在なサポートフレームに含まれる回転自在な多数のサポートプーリーを有していても良い。回転自在なプーリーの代わりに、プーリーは、サポートフレームが移動している間、プーリーと対応する歯車の上部を向く側と係合する歯車および固定歯車ラックによって回転されていても良い。このような実施の形態によれば、サポートと最下部の書類との間の相対摺動を防止することができる。
【図面の簡単な説明】
【００３７】
【図１】図１は、収納モジュールの斜視図である。
【図２】図２は、一対のサポートの斜視図である。
【図３】図３は、一対のサポートの側面図である。
【図４】図４は、積み重ね装置の側面図である。
【図５ａ】図５ａは、書類を積み重ねる方法の工程を示す。
【図５ｂ】図５ｂは、書類を積み重ねる方法の工程を示す。
【図５ｃ】図５ｃは、書類を積み重ねる方法の工程を示す。
【図５ｄ】図５ｄは、書類を積み重ねる方法の工程を示す。
【図５ｅ】図５ｅは、書類を積み重ねる方法の工程を示す。
【図５ｆ】図５ｆは、書類を積み重ねる方法の工程を示す。
【図５ｇ】図５ｇは、書類を積み重ねる方法の工程を示す。
【図５ｈ】図５ｈは、書類を積み重ねる方法の工程を示す。
【図５ｉ】図５ｉは、書類を積み重ねる方法の工程を示す。
【図５ｊ】図５ｊは、書類を積み重ねる方法の工程を示す。
【図１】
2008056488.tif 000003
【図２】
2008056488.tif 000004
【図３】
2008056488.tif 000005
【図４】
2008056488.tif 000006
【図５ａ】
2008056488.tif 000007
【図５ｂ】
2008056488.tif 000008
【図５ｃ】
2008056488.tif 000009
【図５ｄ】
2008056488.tif 000010
【図５ｅ】
2008056488.tif 000011
【図５ｆ】
2008056488.tif 000012
【図５ｇ】
2008056488.tif 000013
【図５ｈ】
2008056488.tif 000014
【図５ｉ】
2008056488.tif 000015
【図５ｊ】
2008056488.tif 000016
【外国語明細書】
2008056488000001.pdf